(57)【要約】【課題】  インターネット関連企業の課金代行サービスや集客効果に頼ることなく、コンテンツ内容のレベルを目や肌で感じられる出版物を用いることにより顧客を吸引できる、携帯端末を用いた、出版物・コンテンツ提供システム等を提供する。【解決手段】  インターネット上で携帯端末の顧客からのアクセスに対して認証の判定を行い、その判定の結果に応じてコンテンツを提供するサーバーと、サーバーのアドレスの二次元バーコード３、認証記号、並びに絵、文字、写真等を表示した出版物であるコンテンツ受信権付き出版物１０とを備え、サーバーに、携帯端末により二次元バーコード３を読み取ってアクセスしてきた顧客に対して、そのアクセスがコンテンツ受信権付き出版物の権利に基づいているか否か前記の判定を行い、携帯端末にコンテンツを提供する。【選択図】        図７
2007156852.tif 000002
【特許請求の範囲】
【請求項１】
インターネット上で携帯端末の顧客からのアクセスに対して認証の判定を行い、その判定の結果に応じてコンテンツを提供するサーバーと、
前記サーバーのアドレスの二次元バーコード、並びに絵、文字、写真等を表示した出版物であるコンテンツ受信権付き出版物とを備え、
前記サーバーに、前記携帯端末により前記二次元バーコードを読んでアクセスしてきた顧客に対して、そのアクセスが前記コンテンツ受信権付き出版物の権利に基づいているか否か前記判定を行い、認証した場合、前記携帯端末に前記コンテンツを提供する、出版物・コンテンツ提供システム。
【請求項２】
前記サーバーのアドレスの二次元バーコードが、シールにより被覆されている、請求項１に記載の出版物・コンテンツ提供システム。
【請求項３】
出版物と、携帯端末へのコンテンツと、を提供する方法であって、
前記携帯端末のアクセス先のサーバーのアドレスの二次元バーコード、並びに絵、文字、写真等を表示した出版物を、その出版物と前記コンテンツの代金を合わせた価格で顧客に販売し、その後で、
前記サーバーに前記携帯端末で前記二次元バーコードを読んでアクセスしてきた顧客に対して、認証の是非を判定し、その判定結果にしたがって前記コンテンツを配信する、出版物・コンテンツ提供方法。
【請求項４】
前記請求項１もしくは２の出版物・コンテンツ提供システム、または請求項３の出版物・コンテンツ提供方法に用いられる、コンテンツ受信権付き出版物。
【請求項５】
前記二次元バーコードへの被覆または露出が自在なように端が固定的に取り付けられたシールを備える、請求項４に記載のコンテンツ付き出版物。
【発明の詳細な説明】
【技術分野】
【０００１】
本発明は、携帯端末を用いた、出版物・コンテンツ提供システム、出版物・コンテンツ提供方法およびコンテンツ受信権付き出版物に関し、より具体的には、所定の代金で購入した出版物に表示された絵柄、文字等に喚起されて、購入者がその出版物に掲載されたインターネット上のサーバーに、携帯端末により容易にアクセスし、コンテンツの提供を受けられるようにした、出版物・コンテンツ提供システム、出版物・コンテンツ提供方法およびコンテンツ受信権付き出版物に関するものである。
【背景技術】
【０００２】
インターネットを用いる各種のビジネスにおいては、顧客の個人情報の保護を含めて、確実に代金を回収する課金方法が、非常に重要である。このため、セキュリティを確保するための仕組みについて、多くの提案がなされている（たとえば特許文献１〜３）。しかしながら、インターネット経由で配信され、携帯電話端末の画面上で再生されるコンテンツの課金方法（代金回収方法）としては、現在、主に下記の二つの方法に集約されてきている。
【０００３】
（１）コンテンツ提供者は、ＮＴＴドコモ、ボーダフォン、ＡＵなどの通信キャリアと呼ばれる企業の「公式サイト」運営者としてこれら通信キャリア企業から認定を受け、その課金代行サービス（コンテンツ提供者に代わってコンテンツ享受者から料金を徴収して、コンテンツ提供者にコンテンツ代金を支払う）を受ける。このとき、通信キャリア企業は、（ａ1）月額定額制の月額課金、（ａ2）ダウンロードごとに課金が発生する従量課金、に大別される課金サービスを公式サイト運営者に提供する。上記課金代行サービス体制のなかで、公式サイト運営者は、自分のコンテンツ内容に適した課金方法を採用できる。
【０００４】
通信キャリア企業は、上記の公式サイトの有料コンテンツの購読契約を結んだ有料会員が支払う購読代金を、公式サイト運営者の代行者として毎月の通話料金に加算して徴収する。通信キャリア企業は、そこから課金代行サービス手数料を減額した額を各公式サイト運営者に払い戻す。公式サイト運営者にとって、通信キャリア企業の「公式サイト」と認定されることは、通信キャリア企業の運営する公式サイトのメニューページ（ポータルサイト）に、そのサイト名が掲載されるために、顧客の目に触れる機会が大幅に増大し、有利である。すなわち、メニューページにアクセスした携帯電話端末所有者は、そこでその公式サイトを知り、有料購読会員となるので、公式サイトに認定されると、大きな顧客誘導効果、集客効果などを期待することができる。
【０００５】
（２）通信キャリア企業から公式サイトの認定が得られない場合には、サイト運営者が独自でサイトを開設する。有料コンテンツを含む場合でも通信キャリア企業の課金代行サービスは受けられないので、インターネット関連の一般企業が提供する課金代行サービスを受ける。ただし、これらのサイトは通信キャリア企業の認定した公式サイトではないので、通信キャリア企業の運営するメニューページにも掲載されず、大きな集客効果は期待できない。
【０００６】
コンテンツ配信の代価回収に話を限定すれば、サイト運営者は、上記（１）、（２）の方法により、顧客を会員制のメンバーに組み込み、料金を通信キャリア企業から確実に得ることができる。
【特許文献１】特開平９−２８８６９６号公報
【特許文献２】特開平１０−２１３０５号公報
【特許文献３】特開平１０−７４２２２号公報
【発明の開示】
【発明が解決しようとする課題】
【０００７】
上記（１）と（２）とを比較すると、上述のように、現状では（１）の方が有料購読会員の獲得に対して圧倒的に有利である。そのマーケティング上の利点から、多数のサイト運営者が公式サイトの認定を求めて各通信キャリア企業に殺到しており、通信キャリア企業、特にｉ−ｍｏｄｅを運営するＮＴＴドコモでは、その審査基準は年々厳しくなってきており、公式サイトの認定を受けるのは非常に難しくなっているのが実状である。
【０００８】
ところで、インターネット経由でコンテンツの提供を受ける場合、顧客は、コンテンツ内容を少しでも知るため、上記（ａ１）（ａ２）共に、ネット上での購読手続き時に、コンテンツの一部が「チョイ見」程度にタダで見られるようになっていて、それでコンテンツ内容を判断できるようになっていることが多い。しかしながら顧客はあくまで、サイト運営者の提供するインターネット上のデータに基づいて、コンテンツの購入を判断せざるを得ないため、それだけで購買意欲を大きく高められることはない。一方、出版物は購買者の目に触れる場所がネット上ではないため、公式サイトなどとは無関係に販路を開拓できる可能性がある。この場合、通信キャリア企業や他のインターネット関連企業の課金代行サービスに頼る必要はない。また、印刷物は、特有の落ち着いた価値または利点を持っており、このため、印刷物による顧客吸引力の向上を期待することができる。
【０００９】
本発明は、インターネット関連企業の課金代行サービスに頼ることなくコンテンツ配信代金の回収を確実に行うことができ、また、通信キャリア企業の公式サイトの集客効果に頼ることなく、出版物特有の顧客吸引力を期待できる、携帯端末を用いた、出版物・コンテンツ提供システム、出版物・コンテンツ提供方法およびコンテンツ受信権付き出版物を提供することを目的とする。
【課題を解決するための手段】
【００１０】
本発明の出版物・コンテンツ提供システムは、インターネット上で携帯端末の顧客からのアクセスに対して認証の判定を行い、その判定の結果に応じてコンテンツを提供するサーバーと、サーバーのアドレスの二次元バーコード、並びに絵、文字、写真等を表示した出版物であるコンテンツ受信権付き出版物とを備える。そして、サーバーに、携帯端末により二次元バーコードを読んでアクセスしてきた顧客に対して、そのアクセスがコンテンツ受信権付き出版物の権利に基づいているか否か判定を行い、認証した場合、携帯端末に前記コンテンツを提供することを特徴とする。
【００１１】
上記の構成により、出版物のおよその内容、レベル等を、直接、顧客に肌で感じ取ってもらって、印刷物が持つ雰囲気により、購買意欲を喚起することができる。顧客の立場から見ても、インターネット上に展示された商品（バーチャル商品）よりも、絵、文字、写真、模様などでコンテンツの雰囲気を表示した出版物は、店頭において手に取ることができ、印刷物特有の雰囲気を顧客は感じ取ることができる。このため、出版物の持つ独特の顧客吸引力により、購入意欲を強く動機づけられる。
【００１２】
わが国の市民の多くは、無闇に後払いのコンテンツを購買することに不安を感じる、潔癖な金銭感覚の人が多く、上記のようなプリペイド型（コンテンツ配信の分のみ）の購買を良しとする考え方が根強くある。このような市民にとって上記のコンテンツ受信権付き出版物は、金銭上安心であるとして、歓迎される。また、サイト運営者は、通信キャリア企業の課金代行サービスに頼ることがないので、比較的、容易にインターネット上に出店して、営業を行うことが可能になる。
【００１３】
なお、コンテンツは、映画、アニメ、ＴＶ番組、絵本（連続した静止絵）、書画、音楽、写真などインターネットで配信される内容物であれば何でもよい。上記のサーバーは、顧客が最初にアクセスして認証を求めるための認証サーバーと、認証サーバーの指示により顧客にコンテンツを配信する配信サーバーとに分かれていてもよい。また、コンテンツ受信権付き出版物は、カード、リーフレット、切手サイズシート、本のしおりタイプなど携帯電話とともに携帯するのに便利なように、軽量で小型のものが適している。紙質は軽量を重視し、表示される文字、絵柄、写真等は、コンテンツの内容、レベルに対応するものが好ましい。コンテンツの販売は、本屋、趣味の品販売店、コンビニ、キオスク、スーパー等において店頭販売するのが、出版物に触れることができるので、好ましい。しかし、本システムが定着するなど、所定の状況が実現されれば、インターネット上で上記のコンテンツ受信権付き出版物を販売してもよい。認証は、認証サーバーにアクセスした回数、携帯端末に固有の番号、ＩＤ、ＰＷなどのうちの一つまたは二つ以上を用いて行うことができる。
【００１４】
また、上記のコンテンツを提供するサーバーのサイトが二次元バーコード表示されているので、顧客は購入した出版物に表示された二次元バーコードに携帯情報端末のサイト読み取り部を押し当て、そのまま容易にサーバーにアクセスして認証を求め、コンテンツを受信することが可能になる。すなわち、コンテンツの内容に関連した絵、模様、文字、写真等が表示された出版物に併せて表示されたサーバーに、携帯端末でアクセスした顧客に、インターネット経由でそのコンテンツを配信することができる。上記使用状況からも、コンテンツ受信権付き出版物は、携帯に便利な小型で、軽量なものが適している。
【００１５】
上記のサーバーのアドレスの二次元バーコードが、シールにより被覆される構成をとることができる。これにより、たとえば上記出版物が小型カードである場合、小さい表示スペースを有効活用でき、二次元バーコード上にも絵、模様、写真、詩、歌、文字などを示し表示面とすることができる。このカバーシールをめくって、または粘着されている場合は剥がして、二次元バーコードに携帯情報端末のサイト読み取り部を押し当てて、サーバーに容易にアクセスすることができる。
【００１６】
本発明の出版物・コンテンツ提供方法は、出版物と、携帯端末へのコンテンツと、を提供する方法である。この方法では、携帯端末のアクセス先のサーバーのアドレスの二次元バーコード、並びに絵、文字、写真等を表示した出版物を、その出版物とコンテンツの代金を合わせた価格で顧客に販売し、その後で、サーバーに携帯端末で二次元バーコードを読んでアクセスしてきた顧客に対して、認証の是非を判定し、その判定結果にしたがってコンテンツを配信することを特徴とする。
【００１７】
上記の構成により、公式サイトに掲載しなくても、実際の店頭で、顧客に購買してもらうことができる。この場合、コンテンツ配信の代金を前もって支払ってもらうことになるので、コンテンツ配信分はプリペイド配信となる。
【００１８】
本発明のコンテンツ受信権付き出版物は、上記のいずれかの出版物・コンテンツ提供システム、または出版物・コンテンツ提供方法に用いられるものである。これにより、出版物を媒介させてコンテンツを受信することができる。
【００１９】
上記のコンテンツ受信権付き出版物は、二次元バーコードへの被覆または露出が自在なように端が固定的に取り付けられたシールを備えることができる。これにより、二次元バーコード表示という人間にとって「二次元バーコードが表示されている箇所」という以上の意味を持たないスペースを、（Ａ1）被覆状態では、意匠的、芸術性、広告宣伝性、情報伝達性等の、人に対して訴求力を持つ内容を表示する箇所にし、また（Ａ2）露出状態では、「二次元バーコードが表示されている箇所」にすることができる。上記シールは、繰り返し説明したように、小型で軽量性が生命線となる上記出版物にとって、非常に重要である。
【発明を実施するための最良の形態】
【００２０】
まず、本発明の実施の形態における出版物・コンテンツ提供システムの特徴である以下のポイント（Ｐ１）〜（Ｐ３）について説明する。図１〜図６は、上記出版物・コンテンツ提供システムに用いられるコンテンツ受信権付き出版物を例示する図である。
【００２１】
（Ｐ１）：コンテンツの購読やファイルのダウンロードに対価を要する有料携帯サイトのＵＲＬを二次元バーコード（ＱＲコード）化して、図１または図４に示す形態として紙媒体上に印刷する。図１、図４では、出版物本体のシート１に、ＱＲコード３と、ＩＤ番号と、パスワードＰＷとを表示した管理データシールが固着されたものを示すが、ＱＲコード３、ＩＤ番号、ＰＷの管理データは、シールが固着されたものに限定されず、本体シート１に、直接、印刷されていてもよい。さらに、図２または図５に示す、その二次元バーコードを再剥離可能なシールラベル５で、ＱＲコード３、ＩＤ、ＰＷの箇所を被覆する。その被覆シール５には、有料携帯サイトの内容を表す画像、文章などを装飾的に表示し、それ自体が一種の出版物として販売されるレベルにまで高めており、商品価値を持たせてある。コンテンツ受信権付き出版物すなわちアクセスシート１０は、図３または図６に示すように、シート本体１のＱＲコード３、ＩＤ、ＰＷの箇所に被覆シール５が粘着されたものである。図３および図６では、アクセスシート１０において、被覆シール５が部分的に粘着された状態を示している。アクセスシート１０の購買者は、被覆シール５を剥がして露出した二次元バーコード３を携帯電話端末の二次元バーコードリーダーで読み取り、簡単に所定の有料携帯サイトへとアクセスすることが可能である。
【００２２】
上記のように印刷物が１枚の被覆シールの場合のほかに、たとえば携帯コンテンツ「こぶとりじいさん」の中で使われている絵がすべてシール化され、記念切手の１０枚つづりシートのようなシート状として売られる場合などもある。そしてそのつづりの中の最初のシールだけが二層シールになっていて、ＱＲコードが隠されている。このような印刷物は、たとえば配信された一つの携帯童話を見て、全部の絵のシールが欲しくなる子供の顧客に受け入れられやすい。
【００２３】
また、他の出版物の例として、いわゆる従来の絵本としての「こぶとりじいさん」を出版し、その最後のページに被覆シールを施して、そこから携帯コンテンツに誘導するものがある。
【００２４】
（Ｐ２）：コンテンツ受信権付き出版物であるアクセスシート１０の販売代金には、その出版物そのものの対価に加えて、有料携帯サイトの代金（コンテンツ配信代金）も含まれている。購買者はその出版物の購入と同時に有料携帯サイトの代金支払いも完了し、追加の支払い手続きをすることなく直ちに有料携帯サイトへアクセスし利用することが可能である。なお、シート本体１は、台紙にＱＲコード３、ＰＷ、ＩＤを印刷したラベルを固着したものでもよいし、台紙に、直接、ＱＲコード３、ＰＷ、ＩＤを印刷したものでもよい。また、アクセスシート１０において、被覆シール５は、ＱＲコード３、ＰＷ、ＩＤの箇所に、繰り返し剥離可能なように全面に粘着する粘着タイプでもよいし、または被覆シール５の一端のみ固着して他の部分はフリーもしくは繰り返し剥離可能なように粘着する状態で、ＱＲコード３、ＰＷ、ＩＤの箇所を被覆していてもよい。
【００２５】
（Ｐ３）：この出版物の形態の１例として、図１〜図３に出版物（全面シールタイプ）、また他の出版物の例として図４〜図６に示すもの（部分シールタイプ）がある。
【００２６】
（全面シールタイプ：図１〜図３）：ＱＲコード、ＩＤ、パスワードなどをプリントしたシールラベル１を下層、その下層を覆う被覆の役をする再剥離可能な被覆シールラベル５を上層、とする切手大の二層式シールラベル（アクセスシート）１０を販売する。上層の被覆シール５には下層のＱＲコード３がリンクする携帯サイトのテーマや内容を示す写真、絵などを装飾的に表示することで、その二層式シールラベル１０自体に、商品価値を持たせることが可能である。人間には生来、切手の収集愛好家のようなコレクター的な性癖があり、このように被覆シール５に装飾性を持たせることで、人間の収集癖を喚起するというマーケティング上の効果も期待できる。この二層式シールラベルタイプ１０が適している出版物のカテゴリーとして、童話、絵本、漫画、写真集などが考えられる。
【００２７】
（部分シールタイプ：図４〜図６）：プロスポーツ選手、人気歌手、漫画アニメなどをテーマとして扱った表示部１ａを有するカード１上に、有料携帯サイトへ誘導するＱＲコード３、ＰＷ、ＩＤを印刷し、さらにそれを被覆する再剥離可能な被覆シール５で覆ったトレーディングカード（アクセスシート）１０を販売する。そのトレーディングカード１０においては、そのカード１がテーマとしている選手、歌手、アニメキャラクターなどの画像を被覆シール５に印刷表示する。このため二次元バーコード３を印刷しても、その箇所を、選手、歌手、アニメキャラクターを表示した被覆シール５で被覆するので、そのトレーディングカード１０の商品価値を損なうどころか、むしろ高めることができる。この二次元バーコード付きトレーディングカード１０を利用すると、たとえばサッカーＪリーグの有名選手のカード１であった場合、このトレーディングカード１０のＱＲコード３からリンクされる携帯サイトに、この選手の最新の活躍シーンの動画を常に更新しておくことで、トレーディングカード１０の購入者は、単にカード１として楽しむだけでなく、このトレーディングカード１０を窓口としてその選手の最新動画を一定期間、常に見ることが可能となり、従来のカード１の価値を飛躍的に高めることが可能となる。
【００２８】
次に、図７に基づき、本発明の実施の形態例である出版物・コンテンツ提供システムを説明する。図７中のＳ１〜Ｓ１０は、上記システムを稼動させる際の工程（ステップ）を示しており、ステップを行う主体およびステップの対象物を含めて、このステップについて説明する。ただし、Ｓ1〜Ｓ10は、実際に本発明の方法を実施するに際しての時系列的な順序を示すものではなく、時間的な順序として、ステップ番号の大きいほうを小さいほうよりも先に行ってもよい。
【００２９】
（Ｓ1）：コンテンツ受信権付き出版物（アクセスシート）１０により実現される出版物・コンテンツ提供システムの中心的存在であり、全体の流れをコントロールするのは、出版物・コンテンツ提供システム運営企業（Ａ）である。童話、絵本、写真集、漫画、各種カード１などを制作・販売しており、コンテンツ受信権付き出版物の製造・販売元となる企業（Ｂ）に対して、運営企業（Ａ）は、二次元バーコードの印刷時に必要となる、ＵＲＬ、購入確認認証用のＩＤ・ＰＷのセット、などのデータを供給する。この製造・販売元企業（Ｂ）とは、一般的には出版社、芸能プロダクション、印刷会社など、複数の企業から構成されることが想定される。ただし製造元と販売元は、同一企業の製造部門、販売部門である場合もあるし、別々の企業であることもあり得る。さらに、（Ａ）が（Ｂ）を兼ねる場合もある。
【００３０】
（Ｓ2）：コンテンツ受信権付き出版物の製造・販売元企業（Ｂ）が商品を販売店（Ｃ）に対して供給する。流通途中には必要に応じて、他の流通業者が介在してもよい。
【００３１】
（Ｓ3）：販売店（Ｃ）が仕入れたコンテンツ受信権付き出版物の代金を販売元（Ｂ）に支払う。
【００３２】
（Ｓ4）：販売店（Ｃ）が携帯端末ユーザー（Ｄ）にコンテンツ受信権付き出版物を販売する。
【００３３】
（Ｓ5）：携帯端末ユーザー（Ｄ）が販売店（Ｃ）に商品代金を支払う。
【００３４】
（Ｓ6）：コンテンツ受信権付き出版物１０を購入した携帯端末ユーザー（Ｄ）が、被覆シール５をめくり、二次元バーコード３、ＩＤ、パスワード（ＰＷ）などを露出させる。ユーザーは露出した二次元バーコード３を携帯端末のリーダーで読み取り、解読されたＵＲＬへとアクセスする。このときまず誘導されるアクセス先は、出版物・コンテンツ提供システムの運営企業（Ａ）の認証サーバーである。認証サーバーからは、ＩＤ、ＰＷを問う画面が携帯端末へと返され、ユーザーは二次元バーコード３とともに露出したＩＤ、ＰＷを手動で入力し送信する。あらかじめ、ＩＤ、ＰＷのセットは、コンテンツ受信権付き出版物１０の個体ごとにユニークな組み合わせとなるよう設定され印刷されており、すべての組み合わせは運営企業（Ａ）の認証サーバーのデータベースに記録されている。認証サーバーはユーザー（Ｄ）から送信されてきたＩＤ、ＰＷのセットをデータベースと照合し、もしデータベース中に存在する組み合わせである場合には、真のコンテンツ受信権付き出版物１０の購入者であると判別する。そうでない場合には、非購入者であるにもかかわらず出鱈目にＩＤ、ＰＷを入力しアクセスしようとしている、偽りの購入者であると判定する。また、個々のコンテンツ受信権付き出版物１０にはあらかじめアクセス可能な人数（多くの場合は購入者本人のみであり、人数は一人と規定されるであろう）が設定されており、その数値もＩＤ、ＰＷとともにデータベースに記録されている。アクセス者が入力したＩＤ、ＰＷの組み合わせがデータベース中に存在する場合でも、既に規定のアクセス可能人数に達している場合には、やはり偽りの購入者と判定する。そして真の購入者と判定された場合にだけ、アクセスしてきたユーザー（Ｄ）をコンテンツ配信企業（Ｅ）の運営するコンテンツ配信サーバーへと誘導する。
【００３５】
（Ｓ7）：出版物・コンテンツ提供システムの運営企業（Ａ）の認証サーバーで真の購入者と判定されたユーザー（Ｄ）に対しては、認証サーバーからコンテンツ配信企業（Ｅ）の運営するコンテンツ配信サーバーに対して配信指示が送信され、ユーザー（Ｄ）はコンテンツ配信サーバーへと自動的に誘導される。
【００３６】
（Ｓ8）：ユーザー（Ｄ）はコンテンツ配信サーバーで有料コンテンツを購読閲覧したり、そこに置かれている画像・音楽・動画・ゲームといった有料ファイルをダウンロードすることが可能となる。このコンテンツ配信企業（Ｅ）は（Ａ）、または（Ｂ）と同一企業であることもあり得る。また（Ｅ）、（Ａ）、（Ｂ）の三者が同一企業ということもあり得る。
【００３７】
（Ｓ9）：こうして配信された有料コンテンツの代金は、既に（Ｓ5）においてコンテンツ受信権付き出版物１０の代金として徴収されている。その金額の中から（Ｂ）が有料コンテンツの著作権料等を含む有料コンテンツの対価を徴収し、運営企業（Ａ）に出版物・コンテンツ提供システムの利用手数料として支払う。
【００３８】
（Ｓ10）：（Ａ）は（Ｅ）に対して、コンテンツ配信サーバーの利用料を支払う。
【００３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。たとえば、コンテンツ受信権付き出版物は、切手サイズのシート、はがきサイズのシート、各種カード、本のしおり状、定型手帳サイズ、非定型手帳サイズ、定期券サイズ、キャッシュカードサイズなど、どのようなものであってもよい。また、シート、台紙、ラベル、カード、リーフ、出版物などの語は、本発明の趣旨に沿って解釈されるべきであり、用語の細かい差異にこだわって、本発明の趣旨を阻却しないようにすべきである。また、被覆についても、全面粘着して被覆する状態、または被覆シールの端のみ固着されその他の被覆シールの部分はフリーもしくは繰り返し剥離可能なように粘着する状態で二次元バーコードを被覆する場合も、当然、含まれる。また、システムについては、携帯端末のアクセスの認証と、その携帯端末へのコンテンツ配信とを行うサーバー、およびコンテンツ受信権付き出版物が備わっておればどのようなシステムでも該当し、上述したように、認証サーバーとコンテンツ配信サーバーとが別であってもよい。
【産業上の利用可能性】
【００４０】
本発明の出版物・コンテンツ提供システム、出版物・コンテンツ提供方法およびコンテンツ受信権付き出版物によれば、（１）出版物を、直接、顧客に肌で感じ取ってもらって、その感触により、コンテンツ購買意欲を喚起することができ、（２）顧客は無闇に後払いのコンテンツを購買することに不安を感じる必要が無く、一方、サイト運営者は、通信キャリア企業の課金サービスに頼らず、比較的、容易にインターネット上に出店して、営業でき、（３）コンテンツを提供するサーバーのサイトが二次元バーコード表示されているので、顧客は容易にサーバーにアクセスして認証を求め、コンテンツを受信することが可能になるので、国民のエンターテインメント享受の一つ形態として利用が期待される。
【図面の簡単な説明】
【００４１】
【図１】本発明の実施の形態におけるシートのＱＲコード表示箇所を示す図である。
【図２】図１のＱＲコード表示箇所を被覆する被覆シールを示す図である。
【図３】ＱＲコード表示箇所（図１）に被覆シール（図２）を重ねた状態のコンテンツ受信権付き出版物を示す図である（全面シールタイプ）。
【図４】本発明の他の実施の形態における受信権付き出版物（カード）のＱＲコード表示箇所を示す図である。
【図５】図４のＱＲコード表示箇所を被覆する被覆シールを示す図である。
【図６】ＱＲコード表示箇所（図４）に被覆シール（図５）を重ねた状態のコンテンツ受信権付き出版物を示す図である（部分シールタイプ）。
【図７】本発明の実施の形態における出版物・コンテンツ提供システムを例示する図である。
【符号の説明】
【００４２】
１  シート本体、１ａ  本体の表示部、３  ＱＲコード、５  被覆シール、１０  コンテンツ受信権付き出版物（アクセスシート、トレーディングカード）。
【図１】
2007156852.tif 000003
【図２】
2007156852.tif 000004
【図３】
2007156852.tif 000005
【図４】
2007156852.tif 000006
【図５】
2007156852.tif 000007
【図６】
2007156852.tif 000008
【図７】
2007156852.tif 000009